【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
画像データを入力する受信部と、入力された前記画像データを解釈して印刷データを生成する解釈部と、印刷データを記憶する印刷データ記憶部と、この印刷データ記憶部より出力された印刷データに従って印刷を実行する印刷機構と、を備え、
入力された前記画像データがフレーム間の相関を含む動画データであるときに前記動画データを静止画データに変換し、変換された静止画データを前記印刷機構に送って印刷させることを特徴とする動画像プリンタ。
【請求項２】
フレーム間の相関を含む動画データを入力可能な受信手段と、
前記受信手段を介して入力されたデータが動画データであるか静止画データであるかを判別する判別手段と、
入力されたデータが前記判別手段により動画データであると判別されたときに動画データを静止画データに変換する動画／静止画変換手段と、
前記動画／静止画変換手段により動画データから変換された静止画データをビットマップデータまたは中間データに展開して出力する展開手段と、
前記展開手段により展開されたデータを記憶する印刷データ記憶手段と、
を備えることを特徴とする動画像プリンタ。
【請求項３】
前記判別手段により入力されたデータが動画データであると判別された後、判別手段が出力する動画データをフレーム単位で記憶し、記憶したフレーム単位の動画データを前記動画／静止画変換手段に出力する動画記憶手段を、さらに備えることを特徴とする請求項１または２の何れかに記載の動画像プリンタ。
【請求項４】
前記印刷データ記憶手段は動画データから変換・展開されて記憶されている複数の印刷情報を動画データのフレームに対応させて順次にビットマップデータまたは中間データの形式で記憶することを特徴とする請求項１または２の何れかに記載の動画像プリンタ。
【請求項５】
判別手段と展開手段とにより解釈部が構成され、この解釈部は前記動画データのヘッダ情報を解釈することにより印刷すべきデータが動画データであることを判別することを特徴とする請求項１または２に記載の動画像プリンタ。
【請求項６】
前記ヘッダ情報は、動画データから変換された静止画データのうちの印刷されるべきフレームを指定するコマンドを含むことを特徴とする請求項５に記載の動画像プリンタ。
【請求項７】
前記受信手段は前記ヘッダ情報を含む前記動画データを入力すると共に印刷指令を伴う静止画データをも入力し、前記判別手段は入力されたデータが前記動画データであるか前記静止画データであるかを前記ヘッダ情報と印刷指令により判別して、入力されたデータが前記動画像データであるときには前記動画／静止画データ変換手段に出力し、入力されたデータが前記静止画データであるときには前記展開手段に出力することを特徴とする請求項５に記載の動画像プリンタ。
【請求項８】
前記動画記憶手段に記憶されている前記動画データから変換されたフレーム単位の印刷データを任意の選択基準に従って選択して印刷を実行させる選択手段をさらに備えることを特徴とする請求項３に記載の動画像プリンタ。
【請求項９】
前記選択手段は、入力された前記動画データのヘッダ情報に含まれる印刷指示コマンドにより所定フレーム数毎に１枚のフレームを自動的に印刷するように前記印刷データを選択することを特徴とする請求項８に記載の動画像プリンタ。
【請求項１０】
前記選択手段は、連続するフレームにおける場面が急激に変動するフレームを表示すると共にその中の所望のフレームを入力可能な表示／操作パネルと、表示／操作パネルより入力された所望フレームを配置すべきレイアウト情報を記憶する不揮発性メモリと、この不揮発性メモリが記憶するレイアウト情報に基づいて前記所望フレームの配置を演算する演算部と、を備えることを特徴とする請求項９に記載の動画像プリンタ。
【請求項１１】
フレーム間の相関を含む動画特性を有する動画データを入力するステップと、
前記動画特性から入力されたデータが動画データであることを判別するステップと、
動画データであると判別されたデータから前記動画特性を除去して静止画データに変換するステップと、
動画データから変換された静止画データをビットマップデータまたは中間データに展開して出力するステップと、
展開されたデータを記憶するステップと、
を備えることを特徴とする動画像プリント方法。
【請求項１２】
前記データを記憶するステップは、前記動画データのフレームに対応させて順次にビットマップデータまたは中間データの形式で複数の印刷情報を記憶することを特徴とする請求項１１に記載の動画像プリント方法。
【請求項１３】
前記動画データを判別するステップは、動画データのヘッダ情報を解釈することにより入力されたデータが動画データであることを判別することを特徴とする請求項１１に記載の動画像プリント方法。
【請求項１４】
前記動画データのヘッダ情報は、動画データが静止画データに変換された後に印刷されるべき静止画データに対応するフレームを指定するコマンドを含み、前記動画データを判別するステップは、入力されたデータが動画データであるか否かを判別すると共に、動画データから変換された静止画データのうちの印刷すべきデータの指定をも行なうことを特徴とする請求項１３に記載の動画像プリント方法。
【請求項１５】
前記動画データを入力するステップは、前記動画データを入力すると共に印刷指令を伴う静止画データをも入力し、前記動画データを判別するステップは入力された画像データが前記動画データであるか前記静止画データであるかを判別して、入力されたデータが前記動画データであるときには前記動画データを静止画データに変換して出力し、入力されたデータが前記静止画データであるときにはこの静止画データを直接展開して出力することを特徴とする請求項１１に記載の動画像プリント方法。
【請求項１６】
前記展開されたデータを記憶するステップの後に、記憶されているデータを任意の選択基準により選択するステップをさらに備えることを特徴とする請求項１１に記載の動画像プリント方法。
【請求項１７】
フレーム間の相関を含む動画特性を有する動画データを入力させる手順、前記動画特性から入力されたデータが動画データであることを判別させる手順、動画データであると判別されたデータから前記動画特性を除去して静止画データに変換させる手順、前記動画データから変換された前記静止画データをビットマップデータまたは中間データに展開して出力させる手順、展開されたデータを記憶させる手順、を格納することを特徴とする動画像印刷プログラムを記録したコンピュータ読み取り可能な記録媒体。
【請求項１８】
前記データを記憶する手順は、前記動画データのフレームに対応させて順次にビットマップデータまたは中間データの形式で複数の印刷情報を記憶することを特徴とする請求項１７に記載の動画像印刷プログラムを記録したコンピュータ読み取り可能な記録媒体。
【請求項１９】
前記動画データを判別する手順は、動画データのヘッダ情報を解釈することにより入力されたデータが動画データであることを判別することを特徴とする請求項１７に記載の動画像印刷プログラムを記録したコンピュータ読み取り可能な記録媒体。
【請求項２０】
前記動画データのヘッダ情報は、動画データが静止画データに変換された後に印刷されるべき静止画データに対応するフレームを指定するコマンドを含み、前記動画データを判別する手順は、入力されたデータが動画データであるか否かを判別すると共に、動画データから変換された静止画データのうちの印刷すべきデータを指定する手順を含むことを特徴とする請求項１９に記載の動画像印刷プログラムを記録したコンピュータ読み取り可能な記録媒体。
【手続補正２】
【補正対象書類名】明細書
【補正対象項目名】００１３
【補正方法】変更
【補正の内容】
【００１３】
【課題を解決するための手段】
上記目的を達成するため、本発明の第１の基本構成に係る動画像プリンタは、画像データを入力する受信部と、入力された前記画像データを解釈して印刷データを生成する解釈部と、印刷データを記憶する印刷データ記憶部と、この印刷データ記憶部より出力された印刷データに従って印刷を実行する印刷機構と、を備え、入力された前記画像データがフレーム間の相関を含む動画データであるときに前記動画データを静止画データに変換し、変換された静止画データを前記印刷機構に送って印刷させることを特徴としている。